(57)【要約】 【課題】  設置が簡単で低コストな次亜塩素酸再生装置を提供する。【解決手段】  実施形態にかかる次亜塩素酸再生装置は両端に配水管に接合可能な開口部を有する管状部品と、管状部品の管内に設置された電極とを有する。【選択図】図１
2013208604.tif 000002
【特許請求の範囲】
【請求項１】
両端に配水管に接合可能な開口部を有する管状部品と、該管状部品の管内に設置された電極とを具備する次亜塩素酸再生装置。
【請求項２】
配水管中の水の流量を測定する流量測定部、及び該流量測定部からの情報に応じて電極に印加する電圧、又は電流を制御する制御部をさらに具備する請求項１に記載の次亜塩素酸再生装置。
【請求項３】
前記管状部品は管壁に挿入口を有し、前記電極は、前記挿入口から管内に挿入して固定することにより設置される請求項１または２に記載の次亜塩素酸再生装置。
【請求項４】
前記管状部品として、前記配水管の一部を切断したものを使用することを特徴とする請求項１ないし３のいずれか１項に記載の次亜塩素酸再生装置。
【請求項５】
両端に配水管に接合可能な開口部を有する管状部品中に電極を設置して次亜塩素酸再生装置を作成し、
該両方の開口部を各々配水管と接合し、
該配水管に水を通して電極に通電し、塩素を含む水を電気分解することにより、次亜塩素酸を生成することを特徴とする次亜塩素酸再生方法。
【請求項６】
前記管状部品中に流量測定部を設けて該配水管中の水の流量を測定し、及び該流量測定部と前記電極に接続した制御部を設けて該流量測定部からの情報に応じて該電極に印加する電圧を制御することを特徴とする請求項５に記載の方法。
【請求項７】
前記電極は、前記管状部品の管壁に設けられた挿入口から挿入して固定することにより管内に設置されることを特徴とする請求項５または６に記載の方法。
【請求項８】
前記管状部品として、前記配水管の一部を切断したものを使用することを特徴とする請求項５ないし７のいずれか１項に記載の方法。
【発明の詳細な説明】
【技術分野】
【０００１】
本発明の実施形態は、次亜塩素酸再生装置に関する。
【背景技術】
【０００２】
残留塩素は、水中物質や水道管材質との反応などにより、時間とともに濃度が減少していくが、上水水質基準では、給水末端における遊離残留塩素濃度を0.1 mg/L以上に保持しなければならない。
【０００３】
配水の流れが遅くなる区域や浄水場から遠い地点で水質基準を満たすためには、浄水場でより多くの次亜塩素酸を注入する必要がある。その結果、浄水場近くでは水の残留塩素濃度が高くなる傾向がある。また、次亜塩素酸の注入だけでは遊離残留塩素濃度基準が維持できない場合には、係員が現地に出向き、規定外の水を放流して流れを良くすることにより、遊離残留塩素濃度を回復させることもある。しかしながら、放流された大量の水は無収水量となると同時に、人件費もかかる。
【０００４】
このような問題に対処するため、次亜塩素酸再生装置を使用することができる。
【０００５】
次亜塩素酸再生装置として、小規模な配水槽を用いた貯留槽方式がある。
【０００６】
貯留槽方式は、マンションなどの受水槽や自然流下の配水区域で管路延長が短い場合に有効であるが、管路延長が長い場合には効果が期待できない。また、平坦な配水区域で採用すると、貯留槽では大気開放状態となる為、再生した配水を加圧して配水しなければならず、加圧設備を新たに建設するイニシャルコストと運営するランニングコストが掛かる。
【０００７】
貯留槽方式以外に、配水管路から水を一旦吸引して貯留部に移送して再生し、管路に戻す方式もあるが、吸引と戻しの為の機械設備とその動力が必須であり、イニシャルランニングコストがかかる。
【先行技術文献】
【特許文献】
【０００８】
【特許文献１】特開平０７−３２８６０６号公報
【発明の概要】
【発明が解決しようとする課題】
【０００９】
本発明の実施形態は、設置が簡単で低コストな次亜塩素酸再生装置を提供することを目的とする。
【課題を解決するための手段】
【００１０】
実施形態によれば、両端に配水管に接合可能な開口部を有する管状部品と、該管状部品の管内に設置された電極とを具備する次亜塩素酸再生装置が提供される。
【図面の簡単な説明】
【００１１】
【図１】第１の実施形態にかかる配水管直結型次亜塩素酸再生装置の構成の一例を表す概略図である。
【図２】第２の実施形態にかかる次亜塩素酸再生方法の一例を説明するための図である。
【図３】第１の実施形態にかかる配水管直結型次亜塩素酸再生装置の構成の他の一例を表す概略図である。
【図４】第２の実施形態にかかる次亜塩素酸再生方法の構成の他の一例を表す概略図である。
【発明を実施するための形態】
【００１２】
以下、実施の形態について、図面を参照して説明する。
【００１３】
図１に、第１の実施形態にかかる配水管直結型次亜塩素酸再生装置の構成の一例を表す概略図を示す。
【００１４】
図示するように、この配水管直結型次亜塩素酸再生装置１０は、両端に配水管に接合可能な開口部を有する管状部品２と、管状部品の管内に設置された電極１とを有する。
【００１５】
図２に、第２の実施形態にかかる次亜塩素酸再生方法の一例を説明するための図を示す。
【００１６】
第２の実施形態にかかる次亜塩素酸再生方法は、両端に配水管に接合可能な開口部を有する管状部品の管内に電極を設置して図１に示すような配水管直結型次亜塩素酸再生装置１０を作成し、図２に示すように、例えば切断された配水管３０の間に挿入した後、両方の開口部を各々配水管と接合し、配水管に水を通して電極に通電し、塩素を含む水を電気分解することにより、次亜塩素酸を生成することを特徴とする。
【００１７】
次亜塩素酸は、水を電気分解することにより、水中に含まれる塩化物から下記式（１）、式（２）により、以下のようにして生成される。
【００１８】
２Ｃｌ−＋Ｈ２Ｏ→ＨＣｌＯ＋ＨＣｌ…（１）
【化１】
2013208604.tif 000003
【００１９】
このようにして得られた次亜塩素酸（ＨＣｌＯ）及び次亜塩素酸イオン（ＣｌＯ−）は、有効塩素として病原性微生物の活動を抑制することができる。
【００２０】
第１及び第２の実施形態によれば、自然流下の配水区域で管路延長が長い配水区域においても、活用できる。また、実施形態にかかる次亜塩素酸再生装置は設置が簡単であり、貯水槽が不要であり加圧設備までも不要となる事から、イニシャルコストやランニングコストが安価にできる。吸引や戻しの為の機械設備が不要となる事から、イニシャルコストやランニングコストが安価にできる。
【００２１】
さらに、第１及び第２の実施形態では、配水管路の配水管の一部に電極を設置するか、あるいは電極を設置した配水管を配水管路の一部に挿入することができる。
【００２２】
電極を配管に設置する場合、管壁に挿入口を有する管状部品を用意し、電極は、挿入口から管内に挿入して固定することにより設置される。
【００２３】
管状部品として、配水管の一部を切断したものを使用することができる。
【００２４】
また、配水管の管壁に挿入口を形成するために、管壁を穿孔することができる。配水管の穿孔は、水道の現場で給水管を新たに布設する際に日常的に実施される簡単な作業である。このように、第１及び第２の実施形態を用いると、安価で短期間に施工できる。
【００２５】
実プラントにおいて次亜塩素酸濃度が低下するのは、配水管内の水の滞留時間が長くなる午前３時頃の数時間の時間帯である。水流が停止に近い静水状態の時間帯には水道法で規定する遊離残留塩素濃度の基準値０．１ｍｇ／ｌを確保するために、次亜塩素酸再生が必要となる。一方、その他の時間帯では十分な水流があることから、次亜塩素酸再生は特に必要ではない。
【００２６】
塩化物を含有する水の電気分解により次亜塩素酸を再生するためには、静水状態が、数分間継続していることが望まれ、電極に通電してから次亜塩素酸の再生を開始するまでには例えば２〜５分ほどかかる。このため、電極に通電していても、静水状態でないと十分な次亜塩素酸の再生効果は得られないが、十分な水流があれば、遊離残留塩素濃度の基準値０．１ｍｇ／ｌを確保することができるので、水質の維持という点では問題がない。
【００２７】
しかしながら、無駄な電力の消費を抑制するためには、水流の大小に応じて電極への通電を制御することができる。
【００２８】
図３に、第１の実施形態にかかる配水管直結型次亜塩素酸再生装置の構成の他の一例を表す概略図を示す。
【００２９】
図示するように、この配水管直結型次亜塩素酸再生装置２０は、管状部品２内に配水管中の水の流量を測定する流量測定部４、及び流量測定部４からの情報に応じて電極２に印加する電圧、又は電流を制御する制御部３がさらに設けられていること以外は、図１と同様の構成を有する。制御部３は電極２に印加する電圧、又は電流を調整するか、あるいは電極２に接続された図示しない電源のＯＮ／ＯＦＦを制御することができる。
【００３０】
このように、電極に印加する電圧、又は電流の調整、あるいは電極に接続された電源のＯＮ／ＯＦＦを制御することにより、電力消費を抑制し、コストを低減することが可能である。
【００３１】
さらに、図４に第２の実施形態にかかる次亜塩素酸再生方法の構成の他の一例を表す概略図を示す。
【００３２】
図示するように、この方法では、配水管３０の代わりに、仕切り弁１３を有するバイパス管４５を備えた配水管４０を用いること以外は、第２の実施形態にかかる次亜塩素酸
方法の一例と同様である。配水管４０は配水管直結型次亜塩素酸再生装置１０と接合される開口部の直前に各々バルブ１１，１２を有する。このような管路を用いるとメンテナンスが容易となる。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１…管状部品、２…電極、３…制御部、４…流量測定部、１０，２０…次亜塩素酸再生装置、３０…配水管
【図１】
2013208604.tif 000004
【図２】
2013208604.tif 000005
【図３】
2013208604.tif 000006
【図４】
2013208604.tif 000007